(57)【要約】  【課題】  区画空間間の気密性を高めライニングコストの削減による顕著な経済効果を達成するとともに、区画空間の設定温度を異にしての使用効果も得られるようにする。  【解決手段】  冷却収納庫の庫内空間４を複数の断熱パネル６の並置立設により複数の空間４Ａ，４Ｂに区画する断熱パーティションＰにおいて、各断熱パネル６は天井裏９に設置の吊レール１１に沿い移動可能で、かつ、床面３ａに位置固定可能に構成されているとともに、隣接断熱パネル６，６の縦ジョイント部１６には、位置決め用弾性部材１７と区画空間４Ａ，４Ｂ間に亘る通気を遮断する気密用縦パッキン１８が、また、各断熱パネル６の上端辺及び下端辺には、天井面５ａ及び床面３ａに接触可能で、それらの突出端部分２１ａ，２１ａを縦ショイント部１６の外側でオーバーラップ可能な気密用横パッキン２１，２１が装着されている。  【選択図】      図３
2006194512.tif 000002
【特許請求の範囲】
【請求項１】
冷却収納庫の庫内空間を、床面から天井面までの距離にほぼ等しい背丈を有する複数の断熱パネルの並置立設により複数の空間に区画する冷却収納庫の断熱パーティション構造であって、
前記各断熱パネルは、その上端部側に天井裏に設置された吊レールに沿って移動可能に懸垂支持されるランナーを、また、その下端部側に床面に対する位置固定具を備えているとともに、隣接する断熱パネルの縦ジョイント部には、両断熱パネルの位置決め用部材と区画される空間間に亘る通気を遮断するようにパネル背丈と等しい長さの気密用縦パッキンとが装着され、かつ、各断熱パネルの表裏両側の上端辺及び下端辺には、そのパネル全幅に亘って天井面及び床面に接触可能な気密用横パッキンが装着され、これら上下の気密用横パッキンは、隣接する断熱パネルの縦ショイント部の外側で重ね合わせ可能に形成されていることを特徴とする冷却収納庫の断熱パーティション構造。
【請求項２】
前記天井裏に設置される吊レールが、天井断熱パネルの目地孔部を塞ぐように施工された断熱層により断熱被覆されている請求項１に記載の冷却収納庫の断熱パーティション構造。
【請求項３】
前記気密用縦パッキンが、位置決め用部材を挟んでパネル厚み方向両側に装着されており、これら両側気密用縦パッキン間に位置決め用部材の嵌合用凹部が形成されている請求項１または２に記載の冷却収納庫の断熱パーティション構造。
【請求項４】
前記上下の気密用横パッキンは、断熱パネルに対して上下に移動可能に装着されている請求項１ないし３のいずれかに記載の冷却収納庫の断熱パーティション構造。
【発明の詳細な説明】
【技術分野】
【０００１】
本発明は、主として営業用の大型冷蔵倉庫や冷凍冷蔵倉庫等の冷却収納庫の庫内空間のレイアウトを、四季の温度変化あるいは業務内容の変化などに対応して任意かつ簡単に変更可能とする冷却収納庫の断熱パーティション構造に関する。詳しくは、冷却収納庫の庫内空間を、床面から天井面までの距離にほぼ等しい背丈を有する複数の断熱パネルの並置立設により複数の空間に区画する冷却収納庫の断熱パーティション構造に関する。
【背景技術】
【０００２】
営業用の大型冷却収納庫、特に既設の冷却収納庫においては、例えば収納物品の量や物品種類の増減などの業務内容の変化等に対応して庫内空間を複数の空間に区画して用いることが望まれている。それは、収納物品の量が減少した場合、庫内空間をその物品量に対応して縮小するように区画することで、必要収納容積以上に大きい容積の庫内空間を冷蔵あるいは冷凍運転する場合に比べて無駄な運転コスト及びランニングコストを削減でき、また、複数の異種物品を収納する場合、それら異種物品に応じて複数の空間に区画して各区間空間の設定温度を異にすることで、異種物品それぞれを適正温度に保存できる等の経済効果や使用効果が得られるからである。
【０００３】
このような経済効果や使用効果を得るための断熱パーティション構造として、従来、平板状の断熱板からなる間仕切り用断熱パネルの下部に移動用車輪を取付け、この車輪を庫内の床面に固定されている車輪支持部材に載せることにより、断熱パネルを自立状態で移動可能に構成しているとともに、この断熱パネルに設けているカンヌキを収納庫の壁面に形成されている係止凹部に係合させることにより、断熱パネルを移動方向の所定位置で固定できるように構成し、さらに、断熱パネルの端面全周に亘って結露や氷結防止用のヒータを取付け可能としたものが知られている（例えば、特許文献１参照）。
【０００４】
【特許文献１】特開平１１−１５９９５１号公報
【発明の開示】
【発明が解決しようとする課題】
【０００５】
しかし、上記特許文献１に開示されている従来技術の場合は、断熱パネルの上端面と天井面との間、断熱パネルの下端面と床面との間、さらに、隣接する断熱パネルの端面間に形成される縦ジョイント部の気密性についてなんら考慮されていないために、それら部位（対向面）の製作精度や施工精度等の影響を受けて多かれ少なかれ隙間が形成されることは避けられず、それら隙間を通じての通気（冷気の流れ）によって結露や氷結等の問題を発生しやすい。特に、区画空間の設定温度を異にして使用するような場合、低温区画空間から高温区画空間への冷気の流れによって、低温区画空間での冷却損失が大きくなり、運転コスト、ライニングコストの上昇を招くだけでなく、高温区画空間には部分的に過剰冷却域が発生して収納物品を適正温度で保存するという使用効果も得られなくなる問題がある。
【０００６】
また、結露や氷結等の問題を解消するために、断熱パネルの端面全周に亘ってヒータを取付けて使用する場合は、そのヒータ自体の部品代や電気代などにコストがかかる上に、ヒータの発熱による温度上昇を回避するために区画空間を冷却する冷凍機や空調機の運転率が増加して、空間区画による運転コスト及びランニングコストの削減による経済効果が損なわれるという問題があった。
【０００７】
本発明は上記のような実情に鑑みてなされたもので、区画空間間の気密性を高めて運転コスト、ライニングコストの削減による顕著な経済効果を達成できるとともに、区画空間の設定温度を異にしての使用効果も確実に得ることができる冷却収納庫の断熱パーティション構造を提供することを目的としている。
【課題を解決するための手段】
【０００８】
上記目的を達成するために、本発明に係る冷却収納庫の断熱パーティション構造は、冷却収納庫の庫内空間を、床面から天井面までの距離にほぼ等しい背丈を有する複数の断熱パネルの並置立設により複数の空間に区画する冷却収納庫の断熱パーティション構造であって、
前記各断熱パネルは、その上端部側に天井裏に設置された吊レールに沿って移動可能に懸垂支持されるランナーを、また、その下端部側に床面に対する位置固定具を備えているとともに、隣接する断熱パネルの縦ジョイント部には、両断熱パネルの位置決め用部材と区画される空間間に亘る通気を遮断するようにパネル背丈と等しい長さの気密用縦パッキンとが装着され、かつ、各断熱パネルの表裏両側の上端辺及び下端辺には、そのパネル全幅に亘って天井面及び床面に接触可能な気密用横パッキンが装着され、これら上下の気密用横パッキンは、隣接する断熱パネルの縦ショイント部の外側で重ね合わせ可能に形成されていることを特徴としている。
【発明の効果】
【０００９】
上記のような特徴構成を有する本発明に係る冷却収納庫の断熱パーティション構造によれば、隣接する断熱パネルの縦ジョイント部に装着されている位置決め用部材によって、隣接断熱パネルを位置ずれや相対的な傾きのないように直線的に並置固定することができるとともに、直線的に並置固定された隣接断熱バネルの縦ジョイント部の隙間はばらつきのない一定幅のものであるから、汎用の気密用縦パッキンを用いて縦ジョイント部を確実に気密化することができる。また、各断熱パネルの上端辺及び下端辺にパネル全幅に亘って装着した気密用横パッキンの上端部及び下端部を天井面及び床面に接触させることにより、パネルの製作精度や天井面及び床面の施工精度等に起因して各断熱パネルの上端面と天井面との間及び各断熱パネルの下端面と床面との間に形成される隙間の大きさにばらつきがあったとしても、それら隙間を閉塞して対向部位（面）間を確実に気密化することができる。特に、気密用横パッキンの端部同志を縦パッキン部の外側で重ね合わせることによって、断熱パネル毎に分割されている横パッキンに連続性を持たせて気密性能を高めることができる。
【００１０】
このように、複数の断熱パネルを並置立設して庫内空間を複数の空間に区画して断熱パーティションを実現する際に形成不可避な各隙間を縦パッキン及び横パッキン並びに横パッキン同志の重ね合いによって確実に塞いで区画空間間の気密性を高め、各区画空間それぞれにおいて非常に優れた断熱性を確保することができる。したがって、結露や氷結等の発生を抑制できるもとより、庫内空間を必要最少限の容積に分割して冷蔵あるいは冷凍運転コスト及びランニングコストを削減し顕著な経済効果を達成できるとともに、区画空間の設定温度を異にして使用する場合も、その低温区画空間から高温区画空間への冷気の流れによる冷却損失をなくして運転コスト及びライニングコストの削減を図り得るだけでなく、高温区画空間に部分的に過剰冷却域を発生することもなく、各区画空間それぞれにおいて適正温度で物品を保存するという使用効果も確実に達成することができるといった効果を奏する。
【００１１】
本発明に係る冷却収納庫の断熱パーティション構造において、請求項２に記載のように、天井裏に設置される吊レールを、天井断熱パネルの目地孔部を塞ぐように施工された断熱層により断熱被覆する構成とすることにより、区画空間と天井裏との間の断熱性も良好に確保して本発明による上述した経済効果及び使用効果を一層高めることができる。
【００１２】
また、本発明に係る冷却収納庫の断熱パーティション構造における気密用縦パッキンとしては、隣接断熱パネルの位置決め用部材のパネル厚み方向の一側にのみ装着してもよいが、特に、請求項３に記載のように、位置決め用部材を挟んでパネル厚み方向の両側に装着されており、これら両側気密用縦パッキン間に位置決め用部材の嵌合用凹部を形成することが望ましい。この場合は、縦ジョイント部の気密性を一層高めることができるばかりでなく、両側気密用縦パッキンを、位置決め用部材の嵌合用凹部の形成要素に利用することができて、縦ジョイント部の構成を簡素化することができる。
【００１３】
さらに、本発明に係る冷却収納庫の断熱パーティション構造において、請求項４に記載のように、断熱パネル表裏両側の上端部及び下端部に装着される上下の気密用横パッキンを、断熱パネルに対して上下に移動可能に構成することによって、背丈が一種類の断熱パネルを用いて、天井高（床面から天井面までの距離）の異なる多種の冷却収納庫におけるパーティションに有効に適用することができる。
【発明を実施するための最良の形態】
【００１４】
以下、本発明の実施の形態を図面に基づいて説明する。
図１は本発明による断熱パーティション構造を適用した大型冷蔵倉庫等の冷却収納庫の概略平面図、図２は図１中に点線丸で囲んで記したＡ部の拡大正面図、図３は図２のＺ−Ｚ線に沿った垂直断面図であり、天壁（図示省略する）、側壁２及び床壁３の全てが断熱壁から構成されている冷却収納庫１の庫内空間４内に、その床面３ａから天井断熱パネル５の天井面５ａまでの距離Ｌよりも僅かに小さい（ほぼ等しい）背丈Ｈを有する複数の断熱パネル６を直線状に並置立設することにより、前記庫内空間４を大小二つの空間４Ａ，４Ｂに区画する断熱パーティションＰが施工されている。ここで、断熱パネル６としては、互いに平行に対向配置したアルミ等の金属薄板間にウレタンフォーム等の発泡樹脂層を充填形成してなる、いわゆる、サンドイッチパネルが一般的であるが、そのほかどのような断熱構造のものであってもよい。図１中の２４は、断熱パネル６の移動操作用の把手である。
【００１５】
前記各断熱パネル６の上端部に吊りボールト７を介してランナー８が取付けられているとともに、天井裏９には、前記天壁から垂下された吊レール下地１０を介して前記ランナー８を摺動可能に嵌合させる吊レール１１が天井断熱パネル５の目地孔部１２に位置する状態で施工設置されており、これによって、各断熱パネル６はランナー８を介し吊レール１１に沿って移動可能に懸垂支持されている。前記吊レール１１及び吊レール下地１０の下端部分は、天井裏９において天井断熱パネル５の目地孔部１２を塞ぐようにウレタンの吹き付けによって施工された断熱層１３により被覆されており、これによって、各区画空間４Ａ，４Ｂから天井裏９への冷気の逃散を防いでそれら区画空間４Ａ，４Ｂの断熱性を確保するように構成されている。
【００１６】
一方、前記各断熱パネル６の下端部には、床面３ａに開口する状態で床壁３に形成された落とし孔１４内に嵌入させることにより、断熱パネル６を床面３ａに対して位置固定するカンヌキ式位置固定具（通称、丸落とし）１５が昇降操作可能に組み込まれている。このカンヌキ式位置固定具１５は、例えば開閉式建具を床面等に固定するために汎用されている周知のものであるため、その詳細な構成については説明を省略する。
【００１７】
また、隣接する断熱パネル６，６の縦ジョイント部１６を形成すべくパネル並設方向で相対向する端面６ａ，６ｂのうち、一方の端面６ａのパネル厚み方向中央部には、図４に明示するように、両断熱パネル６，６を位置ずれが生じないような直線姿勢に整列させるためのゴム等の位置決め用弾性部材１７が固着されているとともに、他方の端面６ｂで前記位置決め用弾性部材１７を挟んだパネル厚み方向の両側には、区画空間４Ａ，４Ｂ間に亘っての冷気の流れを遮断するようにパネル背丈Ｈと等しい長さを有する気密用縦パッキン１８，１８が取付金具１９，１９を介して固着保持されており、これら気密用縦パッキン１８，１８及び取付金具１９，１９間に前記位置決め用弾性部材１７が差し込み嵌合して所定の位置決め機能を発揮する凹部２０が形成されている。なお、前記位置決め用弾性部材１７は、パネル背丈Ｈの全長に亘って連続する、いわゆる、通し部材であっても、パネル背丈Ｈに沿って複数個に分割された断片状の部材であってもよく、また、位置決め用部材としては、ゴム等の弾性材製に限定されることなく、樹脂や金属等から作製されたものであってもよい。
【００１８】
さらに、各断熱パネル６の表裏両側の上端辺部及び下端辺部には、パネル全幅に亘る長さを有する気密用横パッキン２１，２１がその外面側に重ねたパッキン押え２２，２２及び固定ビス２３，２３を介して上下に移動可能に取付けられている。これら気密用横パッキン２１，２１は、上下移動によりそれらの上端縁部及び下端縁部を天井面５ａ及び床面３ａに弾性接触させることにより、断熱パネル６の上端面と天井面５ａとの間の隙間及び断熱パネル６の下端面と床面３ａとの間の隙間を通しての区画空間４Ａ，４Ｂ間に亘る冷気の流れを遮断するように構成されている。さらにまた、前記上下の気密用横パッキン２１，２１及びパッキン押え２２，２２は、図５に明示するように、隣接する断熱パネル６，６の端面６ａ，６ｂよりも長く突出するように形成されており、それら突出パッキン部分２１ａ，２１ｂ及び突出パッキン押え部分２２ａ，２２ｂ同志を前記縦ジョイント部１６の両側外部で重ね合わせ（オーバーラップ）可能に構成されている。
【００１９】
以上のように構成された冷却収納庫１の断熱パーティション構造においては、隣接する断熱パネル６，６同志は位置決め用弾性部材２０を凹部２０に嵌合させることによって、相互の位置ずれや相対的な傾きのないように直線的に並置固定することが可能であるとともに、そのような隣接断熱パネル６，６の直線的な並置固定により縦ジョイント部１６の隙間をばらつきのない一定幅とすることが可能であるから、汎用の気密用縦パッキン１８，１８を用いて縦ジョイント部１６を確実に気密化することができる。また、各断熱パネル６の上端辺及び下端辺にパネル全幅に亘って装着した気密用横パッキン２１，２１の上端部及び下端部を天井面５ａ及び床面３ａに接触させることにより、断熱パネル６の製作精度や天井面５ａ及び床面３ａの施工精度等に起因する隙間の大きさにかかわらずそれら対向部位（面）間を確実に気密化することができる。特に、気密用横パッキン２１，２１端部の突出パッキン部分及び突出パッキン押え部分２２ａ，２２ｂ同志を前記縦ジョイント部１６の両側外部で重ね合わせることによって、断熱パネル６毎に分割されている横パッキンに連続性を持たせて縦ジョイント部１６の気密性能を一段と高めることができる。  
【００２０】
このように、複数の断熱パネル６を並置立設して庫内空間４を複数の空間４Ａ，４Ｂに区画して断熱パーティションを実現する際に形成不可避な各隙間を縦パッキン１８，１８及び横パッキン２１並びに突出パッキン部分２１ａ，２１ａ同志の重ね合いによって確実に塞いで区画空間４Ａ，４Ｂ間の気密性を高め、各区画空間４Ａ，４Ｂの断熱性を非常に優れた状態に保持することが可能で、結露や氷結等の問題を発生しないのはもとより、庫内空間４を必要最少限の容積に分割して冷蔵あるいは冷凍運転コスト及びランニングコストを削減し顕著な経済効果を達成できる。また、区画空間４Ａ，４Ｂの設定温度を異にして使用する場合は、その低温区画空間４Ａまたは４Ｂから高温区画空間４Ｂまたは４Ａへの冷気の流れによる冷却損失をなくして運転コスト及びライニングコストの削減を図り得るとともに、高温区画空間に部分的に過剰冷却域を発生することもなく、各区画空間４Ａ，４Ｂそれぞれにおいて適正温度で物品を保存するという使用効果が得られる。
【００２１】
また、収納物品量が増大する等して庫内空間１を大きな単一空間として使用したい場合は、各断熱パネル６のランナー８を吊レール１１から嵌合離脱するだけの簡単な作業操作によって、断熱パーティションＰを撤去し大きな単一庫内空間４に復元して使用することが可能である。
【００２２】
なお、上記実施の形態では、図１に示すように、冷却収納庫１の庫内空間４を大小二つの空間４Ａ，４Ｂに区画する断熱パーティションＰの施工例について説明したが、図１の仮想線でも示すように、前記断熱パーティシヨンＰに直交させて別の断熱パーティションＰ１を施工して庫内空間４を三つの空間４ＡＭ４Ｂ，４Ｃ、さらには、四つ以上の空間に区画するあたり、上記と同様な気密構成を採用してもよく、この場合も上述したとおりの経済効果や使用効果を達成できる。
【００２３】
また、上記実施の形態では、気密用横パッキン２１，２１を上下に移動可能とすることによって、背丈が一種類の断熱パネル６を用いて、天井高Ｌ（床面３ａから天井面５ａまでの距離）の異なる多種の冷却収納庫１における断熱パーティションＰまたはＰ，Ｐ１に有効に適用可能としたが、前記気密用横パッキン２１，２１を断熱パネル６の上端辺及び下端辺に上下不動に固定したものであってもよい。
【図面の簡単な説明】
【００２４】
【図１】本発明による断熱パーティション構造を適用した大型冷蔵倉庫等の冷却収納庫の概略平面図である。
【図２】図１中に丸で囲んで記したＡ部の拡大正面図である。
【図３】図２のＺ−Ｚ線に沿った垂直断面図である。
【図４】図２のＸ−Ｘ線に沿った拡大横断面図である。
【図５】図２のＹ−Ｙ線に沿った拡大横断面図である。
【符号の説明】
【００２５】
１  冷却収納庫
３ａ  床面
４  庫内空間
４Ａ，４Ｂ，４Ｃ  区画空間
５  天井断熱パネル
６  断熱パネル
８  ランナー
９  天井裏
１１  吊レール
１２  目地孔部
１３  断熱層
１５  位置固定具
１６  縦ジョイント部
１７  位置決め用弾性部材
１８  気密用縦パッキン
２１  気密用横パッキン
２１ａ  突出パッキン部分
Ｐ，Ｐ１  断熱パーティション
【図１】
2006194512.tif 000003
【図２】
2006194512.tif 000004
【図３】
2006194512.tif 000005
【図４】
2006194512.tif 000006
【図５】
2006194512.tif 000007